【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
音場の１つまたは複数の成分を表す１つまたは複数の第１のベクトルを量子化すること、前記第１のベクトルは、前記音場を表す複数の球面調和係数から線形的に分解され、球面調和領域において定義される、と、
前記音場の同じ１つまたは複数の成分を同様に表す１つまたは複数の第２のベクトルにおいて前記１つまたは複数の第１のベクトルの前記量子化が原因でもたらされる誤差を補償することと
を備える、方法。
【請求項２】
前記１つまたは複数の第１のベクトルを量子化することは、少なくとも一部、前記音場を記述する前記複数の球面調和係数に関して線形分解を実行することによって生成される、Ｖ行列の転置から１つまたは複数のベクトルを量子化することを備える、
請求項１に記載の方法。
【請求項３】
前記複数の球面調和係数の左特異ベクトルを表すＵ行列と、前記複数の球面調和係数の特異値を表すＳ行列と、前記複数の球面調和係数の右特異ベクトルを表すＶ行列とを生成するために、前記音場を表す前記複数の球面調和係数に関して線形分解を実行することをさらに備え、
前記１つまたは複数の第１のベクトルを量子化することは、前記Ｖ行列の転置から１つまたは複数のベクトルを量子化することを備える、
請求項１に記載の方法。
【請求項４】
前記複数の球面調和係数の左特異ベクトルを表すＵ行列と、前記複数の球面調和係数の特異値を表すＳ行列と、前記複数の球面調和係数の右特異ベクトルを表すＶ行列とを生成するために、前記音場を表す前記複数の球面調和係数に関して線形分解を実行することをさらに備え、
前記１つまたは複数の第１のベクトルを量子化することは、前記Ｖ行列の転置から１つまたは複数のベクトルを量子化することを備え、
前記誤差を補償することは、前記Ｕ行列の１つまたは複数のＵベクトルを前記Ｓ行列の１つまたは複数のＳベクトルと乗算することによって計算される１つまたは複数のＵ＊Ｓベクトルにおいて前記量子化が原因でもたらされる前記誤差を補償することを備える、
請求項１に記載の方法。
【請求項５】
音場の１つまたは複数の成分を表す１つまたは複数の第１のベクトルを量子化するための手段、前記第１のベクトルは、前記音場を表す複数の球面調和係数から線形的に分解され、球面調和領域において定義される、と、
前記音場の同じ１つまたは複数の成分を同様に表す１つまたは複数の第２のベクトルにおいて前記１つまたは複数の第１のベクトルの前記量子化が原因でもたらされる誤差を補償するための手段と
を備える、デバイス。
【請求項６】
前記量子化するための手段、および前記補償するための手段は、１つまたは複数のプロセッサを備え、前記１つまたは複数のプロセッサは、少なくとも一部、前記音場を記述する前記複数の球面調和係数に関して線形分解を実行することによって生成される、Ｖ行列の転置から１つまたは複数のベクトルを量子化することを行うように構成される、
請求項５に記載のデバイス。
【請求項７】
前記量子化するための手段、および前記補償するための手段は、１つまたは複数のプロセッサを備え、前記１つまたは複数のプロセッサは、前記複数の球面調和係数の左特異ベクトルを表すＵ行列と、前記複数の球面調和係数の特異値を表すＳ行列と、前記複数の球面調和係数の右特異ベクトルを表すＶ行列とを生成するために、前記音場を表す前記複数の球面調和係数に関して線形分解を実行することを行うようにさらに構成され、
前記１つまたは複数のプロセッサは、前記Ｖ行列の転置から１つまたは複数のベクトルを量子化することを行うように構成される、
請求項５に記載のデバイス。
【請求項８】
前記量子化するための手段、および前記補償するための手段は、１つまたは複数のプロセッサを備え、前記１つまたは複数のプロセッサは、前記複数の球面調和係数の左特異ベクトルを表すＵ行列と、前記複数の球面調和係数の特異値を表すＳ行列と、前記複数の球面調和係数の右特異ベクトルを表すＶ行列とを生成するために、前記音場を表す前記複数の球面調和係数に関して線形分解を実行することを行うようにさらに構成され、
前記１つまたは複数のプロセッサは、前記Ｖ行列の転置から１つまたは複数のベクトルを量子化することを行うように構成され、
前記１つまたは複数のプロセッサは、前記Ｕ行列の１つまたは複数のＵベクトルを前記Ｓ行列の１つまたは複数のＳベクトルと乗算することによって計算される１つまたは複数のＵ＊Ｓベクトルにおいて前記量子化が原因でもたらされる前記誤差を補償するように構成される、
請求項５に記載のデバイス。
【請求項９】
前記量子化するための手段、および前記補償するための手段は、１つまたは複数のプロセッサを備え、
前記１つまたは複数のプロセッサは、前記複数の球面調和係数の左特異ベクトルを表すＵ行列と、前記複数の球面調和係数の特異値を表すＳ行列と、前記複数の球面調和係数の右特異ベクトルを表すＶ行列とを生成するために、前記音場を表す前記複数の球面調和係数に関して線形分解を実行することと、各々が前記音場の明瞭な成分に対応する、前記Ｕ行列の１つまたは複数のＵDISTベクトルを決定することと、各々が前記音場の同じ明瞭な成分に対応する、前記Ｓ行列の１つまたは複数のＳDISTベクトルを決定することと、各々が前記音場の同じ明瞭な成分に対応する、前記Ｖ行列の転置の１つまたは複数のＶTDISTベクトルを決定することとを行うようにさらに構成され、
前記１つまたは複数のプロセッサは、１つまたは複数のＶTQ_DISTベクトルを生成するために、前記１つまたは複数のＶTDISTベクトルを量子化することを行うように構成され、
前記１つまたは複数のプロセッサは、１つまたは複数の誤差補償されたＵDIST＊ＳDISTベクトルを生成するために、前記Ｕ行列の１つまたは複数のＵDISTベクトルを前記Ｓ行列の１つまたは複数のＳDISTベクトルと乗算することによって計算される１つまたは複数のＵDIST＊ＳDISTベクトルにおいて前記量子化が原因でもたらされる前記誤差を補償することを行うように構成される、
請求項５に記載のデバイス。
【請求項１０】
前記１つまたは複数のプロセッサは、前記１つまたは複数のＵDISTベクトルと、前記１つまたは複数のＳDISTベクトルと、前記１つまたは複数のＶTDISTベクトルとに基づいて、明瞭な球面調和係数を決定することと、前記明瞭な球面調和係数を前記１つまたは複数のＶTQ_DISTベクトルによって除算し、それによって、前記ＶTDISTベクトルの前記量子化を通じてもたらされた前記誤差を少なくとも一部補償する、誤差補償された１つまたは複数のＵC_DIST＊ＳC_DISTベクトルを生成するために、前記ＶTQ_DISTベクトルに関して擬似逆変換を実行することとを行うように構成される、
請求項９に記載のデバイス。
【請求項１１】
前記量子化するための手段、および前記補償するための手段は、１つまたは複数のプロセッサを備え、前記１つまたは複数のプロセッサは、前記複数の球面調和係数の左特異ベクトルを表すＵ行列と、前記複数の球面調和係数の特異値を表すＳ行列と、前記複数の球面調和係数の右特異ベクトルを表すＶ行列とを生成するために、前記音場を表す前記複数の球面調和係数に関して線形分解を実行することと、前記音場の１つまたは複数のバックグラウンド成分を記述する前記Ｕ行列の１つまたは複数のＵBGベクトルと、前記音場の１つまたは複数の明瞭な成分を記述する前記Ｕ行列の１つまたは複数のＵDISTベクトルとを決定することと、前記音場の前記１つまたは複数のバックグラウンド成分を記述する前記Ｓ行列の１つまたは複数のＳBGベクトルと、前記音場の前記１つまたは複数の明瞭な成分を記述する前記Ｓ行列の１つまたは複数のＳDISTベクトルとを決定することと、前記Ｖ行列の転置の１つまたは複数のＶTDISTベクトルと１つまたは複数のＶTBGベクトルとを決定することとを行うようにさらに構成され、前記ＶTDISTベクトルは、前記音場の前記１つまたは複数の明瞭な成分を記述し、前記ＶTBGは、前記音場の前記１つまたは複数のバックグラウンド成分を記述し、
前記１つまたは複数のプロセッサは、１つまたは複数のＶTQ_DISTベクトルを生成するために、前記１つまたは複数のＶTDISTベクトルを量子化することを行うように構成され、
前記１つまたは複数のプロセッサは、誤差補償されたバックグラウンド球面調和係数を生成するために、前記１つまたは複数のＵBGベクトルを前記１つまたは複数のＳBGベクトルと乗算し、次いで前記１つまたは複数のＶTBGベクトルと乗算することによって形成されるバックグラウンド球面調和係数において前記量子化が原因でもたらされる前記誤差を補償することを行うように構成される、
請求項５に記載のデバイス。
【請求項１２】
前記１つまたは複数のプロセッサは、前記ＵDISTベクトルを前記ＳDISTベクトルと乗算することによって形成される、前記ＶTDISTベクトルおよび１つまたは複数のＵDIST＊ＳDISTベクトルに基づいて、前記誤差を決定することと、前記誤差補償されたバックグラウンド球面調和係数を生成するために、前記決定された誤差を前記バックグラウンド球面調和係数に加算することとを行うように構成される、
請求項１１に記載のデバイス。
【請求項１３】
前記量子化するための手段、および前記補償するための手段は、１つまたは複数のプロセッサを備え、
前記１つまたは複数のプロセッサは、１つまたは複数の誤差補償された第２のベクトルを生成するために、前記音場の同じ１つまたは複数の成分を同様に表す１つまたは複数の第２のベクトルにおいて前記１つまたは複数の第１のベクトルの前記量子化が原因でもたらされる前記誤差を補償することを行うように構成され、
前記１つまたは複数のプロセッサは、前記１つまたは複数の誤差補償された第２のベクトルと前記量子化された１つまたは複数の第１のベクトルとを含むようにビットストリームを生成することを行うようにさらに構成される、
請求項５に記載のデバイス。
【請求項１４】
前記量子化するための手段、および前記補償するための手段は、１つまたは複数のプロセッサを備え、
前記１つまたは複数のプロセッサは、１つまたは複数の誤差補償された第２のベクトルを生成するために、前記音場の同じ１つまたは複数の成分を同様に表す１つまたは複数の第２のベクトルにおいて前記１つまたは複数の第１のベクトルの前記量子化が原因でもたらされる前記誤差を補償することを行うように構成され、
前記１つまたは複数のプロセッサは、前記１つまたは複数の誤差補償された第２のベクトルをオーディオ符号化することと、前記オーディオ符号化された１つまたは複数の誤差補償された第２のベクトルと、前記量子化された１つまたは複数の第１のベクトルとを含むように、ビットストリームを生成することとを行うようにさらに構成される、
請求項５に記載のデバイス。
【請求項１５】
実行されると、１つまたは複数のプロセッサに、請求項１−４のうちのいずれか一項にしたがった方法を実行させる命令を記憶した、非一時的コンピュータ可読記憶媒体。